(57)【要約】      （修正有）【課題】コンビニエンスストア等の店舗に据え付けた冷蔵ショーケースにおいて商品の搬入、補充等の作業が容易に行え、且つ大幅な節電効果が実現される冷蔵ショーケース用ウォークインカーテンを提供する。【解決手段】冷蔵ショーケース用ウォークインカーテン８は、冷蔵ショーケースのバックヤード側に背面開口部３に設置され、柔軟で透視性を有する軟質合成樹脂シートからなる縦長帯状に形成された複数の独立した短冊シート８０からなる。短冊シート８０の上端平面部に設けたクッション性粘着材８１によって背面開口部の上方壁面９における背面開口部３の上端３１近傍位置に圧着させて背面開口部３の全長にわたって垂れ下げられ、これら複数の短冊シート８０が背面開口部３の開口幅に合わせて互いに等間隔に位置調整された状態で並設されることにより、隣り合う各短冊シート８０の左右側辺が互いに非接触状態となって僅かな隙間Ｓが形成されて設置される。【選択図】図２
0003186280.tif 000002
【実用新案登録請求の範囲】
【請求項１】
コンビニエンスストア等の店舗に据え付けられて飲料等の商品を展示販売する冷蔵ショーケースに対して店舗建屋内のバックヤードから冷蔵ショーケースの冷蔵陳列室内に商品を搬入、補充等するために冷蔵陳列室のバックヤード側に背面開口部が設けられており、
この冷蔵陳列室の背面開口部において柔軟で透視性を有する軟質合成樹脂シートからなる縦長帯状に形成された複数の独立した短冊シートがこの短冊シートの上端平面部に設けたクッション性粘着材によって背面開口部の上方壁面における背面開口部の上端近傍位置に圧着させて背面開口部の全長にわたって垂れ下げられ、
これら複数の短冊シートが背面開口部の開口幅に合わせて互いに等間隔に位置調整された状態で並設されることにより、隣り合う各短冊シートの左右側辺が互いに非接触状態となって僅かな隙間が形成されて設置される冷蔵ショーケース用ウォークインカーテン。
【請求項２】
請求項１に記載の冷蔵ショーケース用ウォークインカーテンにおいて、
隣り合う各短冊シート間の隙間が１０〜３０ｍｍの範囲内に配設される冷蔵ショーケース用ウォークインカーテン。
【請求項３】
請求項１又は２に記載の冷蔵ショーケース用ウォークインカーテンにおいて、
短冊シートは、横幅が約１００ｍｍ、縦長が約１８５０ｍｍの大きさを有し、冷蔵陳列室の背面開口部に対して６枚並設され、
各短冊シートは、床面と非接触となる高さに配設される冷蔵ショーケース用ウォークインカーテン。
【請求項４】
請求項１〜３のいずれか１項に記載の冷蔵ショーケース用ウォークインカーテンにおいて、
背面開口部の左右両端に配置される各短冊シートは、背面開口部の側端部との間に約４０ｍｍ程度の隙間が形成される冷蔵ショーケース用ウォークインカーテン。
【請求項５】
請求項１〜４のいずれか１項に記載の冷蔵ショーケース用ウォークインカーテンにおいて、
短冊シートは、厚さが０．５ｍｍの軟質塩化ビニル樹脂系シートからなる冷蔵ショーケース用ウォークインカーテン。
【考案の詳細な説明】
【技術分野】
【０００１】
本考案は、コンビニエンスストア、スーパーマーケット等の店舗に据え付けられて飲料等の商品を展示販売する冷蔵ショーケースのバックヤード側の背面開口部に設けられる冷蔵ショーケース用ウォークインカーテンに関する。
【背景技術】
【０００２】
店舗の売場に据え付けた冷蔵ショーケースは、店舗建屋内のバックヤードから冷蔵ショーケースの冷蔵陳列室内に商品を搬入、補充等するために冷蔵陳列室のバックヤード側に背面開口部が設けられている。
【先行技術文献】
【特許文献】
【０００３】
【特許文献１】特開２００２−５１８８０号公報
【考案の概要】
【考案が解決しようとする課題】
【０００４】
ところで、冷蔵ショーケースのバックヤード側の背面開口部は、店員が冷蔵陳列室内に商品を搬入、補充等するための便宜上等から開放状態にされていることが多い。そのため、冷蔵陳列室内の冷気が漏出し、冷蔵のための消費電力を非常に多く浪費することとなっていた。
【０００５】
本考案の目的は、このような事情に鑑み、冷蔵ショーケースにおけるバックヤード側の背面開口部から冷蔵陳列室内への商品の搬入、補充等の作業が容易に行えるうえ、この背面開口部からの冷蔵陳列室内の冷気の漏出が防止されて大幅な節電効果が実現される冷蔵ショーケース用ウォークインカーテンを提供することにある。
【課題を解決するための手段】
【０００６】
本考案に係る冷蔵ショーケース用ウォークインカーテンは、
コンビニエンスストア等の店舗に据え付けられて飲料等の商品を展示販売する冷蔵ショーケースに対して店舗建屋内のバックヤードから冷蔵ショーケースの冷蔵陳列室内に商品を搬入、補充等するために冷蔵陳列室のバックヤード側に背面開口部が設けられており、
この冷蔵陳列室の背面開口部において柔軟で透視性を有する軟質合成樹脂シートからなる縦長帯状に形成された複数の独立した短冊シートがこの短冊シートの上端平面部に設けたクッション性粘着材によって背面開口部の上方壁面における背面開口部の上端近傍位置に圧着させて背面開口部の全長にわたって垂れ下げられ、
これら複数の短冊シートが背面開口部の開口幅に合わせて互いに等間隔に位置調整された状態で並設されることにより、隣り合う各短冊シートの左右側辺が互いに非接触状態となって僅かな隙間が形成されて設置されるものである。
【０００７】
このウォークインカーテンによれば、冷蔵ショーケースのバックヤード側の背面開口部からの冷蔵陳列室内の冷気の漏出が防止されるから、冷蔵ショーケースでの電力消費を大幅に低減することができる。ウォークインカーテンを構成する各短冊シートが柔軟で透視性を有する軟質合成樹脂シートからなるので、バックヤード側からウォークインカーテン越しに冷蔵ショーケースの冷蔵陳列室内の商品を容易に目視点検することができる。さらには、隣り合う各短冊シートの左右側辺が互いに非接触状態に僅かに隙間が形成されて設置されるから、バックヤード側から商品棚の特定箇所に商品を補充等する場合には特定箇所の短冊シートを容易に開いて商品補充等が行える。この際、隣り合った短冊シート同士が接触して破損することが防止される。また、上方壁面に圧着させたクッション性粘着材により、短冊シートの開閉時にかかる応力が緩和されるから、上方壁面に短冊シートが安定して粘着保持される。従って、背面開口部から冷蔵陳列室内への商品の搬入、補充等の作業を容易に行うことができ、且つ背面開口部が必要以上に開放されないから作業時における冷蔵陳列室内からの冷気の漏出も最小限に留めることができる。
【０００８】
上記冷蔵ショーケース用ウォークインカーテンにおいて、
隣り合う各短冊シート間の隙間が１０〜３０ｍｍの範囲内に配設されるのが好ましく、さらに１５ｍｍ程度の隙間とするのがより好ましい。
この場合、バックヤード側から背面開口部を通した商品補充等の作業性が良く、且つ冷蔵陳列室内からの冷気の漏出を最小限に留めることができる。
【０００９】
上記冷蔵ショーケース用ウォークインカーテンにおいて、
短冊シートは、横幅が約１００ｍｍ、縦長が約１８５０ｍｍの大きさを有し、冷蔵陳列室の背面開口部に対して６枚並設され、
各短冊シートは、床面と非接触となる高さに配設されるのが好ましい。
この場合、商品補充等する際、各短冊シートを人手で楽に開けることができ、商品補充等の作業性が向上される。しかも、この作業時に各短冊シートが床面と擦れて破損することも防ぐことができる。
【００１０】
上記冷蔵ショーケース用ウォークインカーテンにおいて、
背面開口部の左右両端に配置される各短冊シートは、背面開口部の側端部との間に約４０ｍｍ程度の隙間が形成されるのが好ましい。
これにより、背面開口部に扉を設ける場合には、背面開口部の左右両端に配置される各短冊シートが扉への挟み込みが防止され、短冊シートの破損が防止される。しかも、背面開口部の両端側の各短冊シートをも人手で楽に開けることができるから、背面開口部の両端付近での商品の補充等の作業性も良くなる。
【００１１】
上記冷蔵ショーケース用ウォークインカーテンにおいて、
短冊シートは、厚さが０．５ｍｍの軟質塩化ビニル樹脂系シートからなるのが好ましい。
これにより、各短冊シートを人手で楽に開けることができ、且つ背面開口部の全長にわたって良好に垂れ下がって冷気の漏出防止効果が発揮される。
【考案の効果】
【００１２】
以上のように、本考案によれば、冷蔵ショーケースにおいて大幅に節電でき、冷蔵ショーケースを据え付けるコンビニエンスストア等の店舗における電力コストが大幅に削減される。しかも、背面開口部から冷蔵陳列室内への商品の搬入、補充等の作業を容易に行うことができ、且つ短冊シート同士が接触して破損することも防止することができる。
【図面の簡単な説明】
【００１３】
【図１】ウォークインをバックヤード側の背面開口部に設置した冷蔵ショウケースを示す断面模式図である。
【図２】ウォークインを設置した冷蔵ショウケースのバックヤード側に位置する背面開口部側を示す平面図である。
【図３】ウォークインカーテンを構成する短冊シートを示す図であり、同図（Ａ）は短冊シートの正面図、同図（Ｂ）は短冊シートの裏面図、同図（Ｃ）は短冊シートの上面図である。
【考案を実施するための形態】
【００１４】
以下、本考案の実施形態について説明する。
図１には、コンビニエンスストア等の店舗に据え付けられて飲料等の商品を展示販売する冷蔵ショーケース１を示し、この冷蔵ショーケース１は、店舗建屋内のバックヤードから冷蔵ショーケース１の冷蔵陳列室２内に商品を搬入、補充等するために冷蔵陳列室２のバックヤード側に背面開口部３が設けられている。冷蔵ショーケース１の背面開口部３は、背面開閉扉（不図示）を設けているが、開放されたオープン式となっていてもよい。冷蔵ショーケース１の前面開口部４は、客が商品の取り出し時に開閉する前面開閉扉５が設けられているが、開放されたオープン式となっていてもよい。冷蔵陳列室２は、飲料等の商品を陳列させるために上下に多段の商品陳列棚６が設置されている。冷蔵陳列室２内は、冷却器７により冷気が循環されている。なお、冷蔵陳列室２の前面付近や背面付近には冷気をダウンフロー式に流下させてエアーカーテンを形成させる構成としてもよい。
【００１５】
そして、冷蔵ショーケース１の背面開口部３には、本考案に係る冷蔵ショーケース用ウォークインカーテン（以下、「ウォークインカーテン」という。）８が配設されている。図２、図３に示すように、ウォークインカーテン８は、柔軟で透視性を有する軟質合成樹脂シートからなる縦長帯状に形成された複数の独立した短冊シート８０によって構成されている。これら短冊シート８０は、上端平面部に設けたクッション性粘着材８１によって背面開口部３の上方壁面９における背面開口部３の上端３１近傍位置に貼着させて背面開口部３の全長にわたって垂れ下げられている。なお、短冊シート８０を背面開口部３に設ける際にはクッション性粘着材８１の表面に取り付けた離型紙８２を剥がす（図３（Ｂ）参照）。これら複数の短冊シート８０は、背面開口部３の開口幅に合わせて互いに等間隔に位置調整された状態で並設され、隣り合う各短冊シート８０の左右側辺が互いに非接触状態となるように僅かに隙間Ｓが形成されて設置されている。
【００１６】
短冊シート８０は、冷気の遮蔽効果や可撓性能による開閉の容易性や垂れ下がりの良さ等の点で透視性を有する軟質塩化ビニル樹脂系シートで形成されているが、これに限らず、各種の透視性を有する軟質樹脂シートを使用することができる。短冊シート８０は、例えば、厚さが０．５ｍｍ、横幅が１００ｍｍ、縦長が１８５０ｍｍの大きさサイズを有し、上端平面部に設けたクッション性粘着材８１は、例えば、厚さが１ｍｍ、横幅が９８ｍｍ程度、縦長が５０ｍｍ程度の大きさサイズを有する。冷蔵ショーケース１の背面開口部３は、例えば、横幅が７５０ｍｍ、高さが１８００ｍｍの縦長矩形状に形成されている。
【００１７】
実施形態では、背面開口部３に対して短冊シート８０が６枚並設されているが、背面開口部３の横幅に合わせて必要な枚数の短冊シート８０を並設してもよい。そして、隣り合う各短冊シート８０は、左右側辺が互いに非接触状態となるように１０〜３０ｍｍ、好ましくは１５ｍｍ程度の隙間Ｓを設けて配置されている。また、背面開口部３の左右両端に配置される各短冊シート８０は、背面開口部３の側端部との間に４０ｍｍ程度の隙間Ｓ１を設けて設置されている。背面開口部３の左右両端に隙間Ｓ１を設けることで、背面開口部３に扉を設ける場合に背面開口部３の左右両端に配置される各短冊シート８０の扉への挟み込みが防止され、短冊シート８０の破損が防止される。しかも、背面開口部３の両端側の各短冊シート８０をも人手で楽に開けることができるから、背面開口部３の両端付近での商品の補充等の作業性も良くなる。また、各短冊シート８０は、床面と非接触となる高さに配設されており、商品の補充等の作業時に短冊シート８０が床面と擦れたり扉に挟まって破損することも防止される。
【００１８】
次に、このウォークインカーテン８の取り付けは、例えば、以下の手順によって行われる。なお、冷蔵ショーケース１の背面開口部３は、横幅が７５０ｍｍ、高さが１８００ｍｍで開口されており、この背面開口部３に対して、上記した大きさサイズの短冊シート８０を６枚取り付けるものとする。
【００１９】
まずは、ウォークインカーテン８の取り付け場所は、冷蔵ショーケース１の背面開口部３の上方壁面９となるので、この上方壁面９は、予め汚れをきれいにふき取り、乾いた状態にしておく。
【００２０】
そして、背面開口部３の左右どちらか一方の端部において側端部から４０ｍｍ程度の隙間Ｓ１を空けて内側に１枚目の短冊シート８０を配置し、この短冊シート８０の上端を背面開口部３の上端部３１から１００ｍｍ上に合わせて、短冊シート８０の上端平面部をクッション性粘着材８１を介して背面開口部３の上方壁面９に貼り付け、しっかり圧着させる。
【００２１】
そして、この背面開口部３の一方端部側に配設させた短冊シート８０の横に１５ｍｍ程度の僅かな隙間Ｓを空けるように位置調整して２枚目の短冊シート８０を同じ要領で配設し、以後、横に続けて同じ要領で背面開口部３の他方端部まで残りの短冊シート８０を配設させる。すると、図２に示すように、６枚の短冊シート８０が背面開口部３の開口幅に合わせて互いに等間隔位置調整された状態で並設され、冷蔵ショーケース１の背面開口部３にウォークインカーテン８が設置される。
【００２２】
このようにして、冷蔵ショーケース１のバックヤード側の背面開口部３に本ウォークインカーテン８を設置することで、冷蔵ショーケース１において大幅に節電でき、冷蔵ショーケース１を据え付けるコンビニエンスストア等の店舗における電力コストが大幅に削減される。しかも、背面開口部３から冷蔵陳列室２内への商品の搬入、補充等の作業も容易に行うことができ、且つ短冊シート８０同士が接触したり短冊シート８０が床面と擦れたりして破損することも防止される。
【符号の説明】
【００２３】
１  冷蔵ショーケース
２  冷蔵陳列室
３  背面開口部
４  前面開口部
５  前面開閉扉
６  商品陳列棚
７  冷却器
８  ウォークインカーテン
９  上方壁面
３１  上端部
８０  短冊シート
８１  クッション性粘着材
８２  離型紙
Ｓ  隙間（短冊シート間）
Ｓ１  隙間（背面開口部側端と短冊シートとの間）
【図１】
0003186280.tif 000003
【図２】
0003186280.tif 000004
【図３】
0003186280.tif 000005